(57)【特許請求の範囲】
【請求項１】
硬貨が収納される硬貨ホッパ部と、
前記硬貨ホッパ部から前記硬貨を搬送する硬貨搬送部と、
前記硬貨搬送部から搬送された前記硬貨を排出する硬貨発行口と、
前記硬貨搬送部から搬送された前記硬貨を回収する硬貨回収部と、
前記硬貨ホッパ部から搬送される前記硬貨を前記硬貨発行口と前記硬貨回収部のいずれかの方向に手動により切替可能とする切替手段と、
前記硬貨ホッパ部における前記硬貨の一括回収を指示する一括回収ボタンを選択可能に表示する操作表示部と、
前記切替手段が前記硬貨回収部の方向に切替えられ、かつ前記操作表示部の前記一括回収ボタンが押下されたときに一括回収動作を制御する制御部を有し、
前記切替手段は、前記硬貨ホッパ部から搬送された前記硬貨の前記硬貨発行口と前記硬貨回収部への分岐部に設けたブレードを有し、前記ブレードの先端にレバーを設け、前記ブレードを手動可能としたことを特徴とする現金処理装置。
【請求項２】
硬貨が収納される硬貨ホッパ部と、
前記硬貨ホッパ部から前記硬貨を搬送する硬貨搬送部と、
前記硬貨搬送部から搬送された前記硬貨を排出する硬貨発行口と、
前記硬貨搬送部から搬送された前記硬貨を回収する硬貨回収部と、
前記硬貨ホッパ部から搬送される前記硬貨を前記硬貨発行口と前記硬貨回収部のいずれかの方向に切替える切替手段と、
前記切替手段が前記硬貨回収部の方向に切替えられたことを検出する切替検出スイッチと、
前記硬貨ホッパ部における前記硬貨の一括回収を指示する一括回収ボタンを選択可能に表示する操作表示部と、
前記切替手段が前記硬貨回収部の方向に切替えられ、かつ前記操作表示部の前記一括回収ボタンが押下されたときに一括回収動作を制御する制御部を有し、
前記制御部は、前記切替検出スイッチが切替を検出すると、前記操作表示部に対し、前記一括回収ボタンを表示するよう制御することを特徴とする現金処理装置。
【請求項３】
前記切替手段は手動により切替可能としたことを特徴とする請求項２記載の現金処理装置。
【請求項４】
前記切替手段は、
前記硬貨ホッパ部から搬送された前記硬貨の前記硬貨発行口と前記硬貨回収部への分岐部に設けたブレードを有し、
前記ブレードの先端にレバーを設け、前記ブレードを手動可能としたことを特徴とする請求項２記載の現金処理装置。
【請求項５】
硬貨ホッパ部からの硬貨の搬送路が硬貨発行口から硬貨回収部へ切替えられたことを検出する切替検出工程と、
一括回収ボタンを表示するボタン表示工程と、
前記一括回収ボタンの押下を検出するボタン選択検出工程を含み、
前記切替検出工程によって切替えられたことを検出すると、前記ボタン表示工程によって前記一括回収ボタンを表示し、その後前記ボタン選択検出工程によって前記一括回収ボタンが押下されたことを検出すると硬貨回収動作を実施することを特徴とする現金処理装置の硬貨回収方法。
【請求項６】
硬貨ホッパ部からの硬貨の排出を示す通常モードボタン及び前記硬貨の回収を示す保守モードボタンのいずれかに押下可能に表示するモード表示工程と、
前記通常モードボタン又は前記保守モードボタンのいずれかが押下されたことを検出するモードボタン押下検出工程と、
一括回収ボタンを表示するボタン表示工程と、
前記一括回収ボタンの押下を検出するボタン選択検出工程を含み、
前記モードボタン押下検出工程によって前記保守モードボタンの押下が検出された後、前記ボタン表示工程によって前記一括回収ボタンを表示し、前記ボタン選択検出工程によって前記一括回収ボタンが押下されたことを検出すると、前記硬貨搬送路を前記硬貨回収路へ切替えて硬貨回収動作を実施することを特徴とする現金処理装置の硬貨回収方法。
【発明の詳細な説明】
【技術分野】
【０００１】
本発明は、硬貨発行部を有する外貨両替機等の現金処理装置に関する。
【背景技術】
【０００２】
従来、外貨両替機等の現金処理装置は、紙幣発行部及び硬貨発行部を有していた。図１０は従来の現金処理装置の構成図である。図１０（ａ）は現金処理装置２００の正面図を示し、図１０（ｂ）は現金処理装置２００の右側面図を示す。外貨両替機としての現金処理装置２００は、図１０（ａ）に示すように、硬貨発行部５１及び紙幣発行部６１を有する。硬貨発行部５１の正面には釣銭硬貨を発行する硬貨発行口６４を有する。紙幣発行部６１の正面には顧客の操作をガイドする操作表示部５９、外国紙幣を受付ける外貨挿入口６２及び両替紙幣としての紙幣を発行する紙幣発行口６３を有する。
【０００３】
更に、硬貨発行部５１の内部は、図１０（ｂ）に示すように、硬貨を金種別に収納する硬貨ホッパ６７及び硬貨ホッパ６７から硬貨発行口６４へ硬貨を搬送する硬貨搬送路５２を有する。更に、硬貨発行口６４は、硬貨搬送路５２から搬送された硬貨を排出する発行トレイと顧客が硬貨を取り出すための取出窓を有する。そして、硬貨発行口６４は、カバー６５と一体に設けられ、硬貨発行部５１のカバー６５の開閉動作のとき硬貨発行口６４はカバー６５と一体に移動する。そのため保守者による保守作業時に、カバー６５を左又は右方向に開くことにより、硬貨発行口６４の発行トレイに回収した硬貨を回収することができる。
【０００４】
特開２０１０−３３４１０号公報（特許文献１）には、安全に硬貨を回収できる硬貨処理装置が記載されている。特許文献１によると、硬貨が収納される収納部と、硬貨を搬送する出金搬送手段と、硬貨が出金される出金口とを有し、更に搬送途中に搬送方向を切替える切替手段を有する。その結果、硬貨切替先に設けた硬貨回収部に硬貨を回収することができる旨記載されている。
【先行技術文献】
【特許文献】
【０００５】
【特許文献１】特開２０１０−３３４１０号公報
【発明の概要】
【発明が解決しようとする課題】
【０００６】
しかしながら、従来の技術によれば、保守員による保守作業における硬貨ホッパ６７内の硬貨の回収時において、カバー６５を左又は右方向に開くことにより、硬貨ホッパ６７内の硬貨を硬貨搬送路５２を経由して硬貨発行口６４に回収することになる。そのため硬貨発行口６４の発行トレイに蓄えられる量の硬貨しか一度に回収できないため、硬貨ホッパ６７内の硬貨全てを回収するのに時間がかかるという問題があった。
【０００７】
一方、特許文献１による技術によれば、切替手段により搬送路途中の搬送方向を切替えることにより、硬貨回収部に硬貨を回収することができる。しかしながら、この操作は通常モードの動作時に行うことができるため、保守員以外の係員が誤って又は不正に硬貨を回収してしまうおそれがあるという問題があった。
【０００８】
本発明が解決しようとする課題は、硬貨の回収作業を短時間で行うことができとともに、硬貨ホッパ内の硬貨を回収できる条件を制限することによって、安全に硬貨を回収することを可能とするものである。
【課題を解決するための手段】
【０００９】
上記課題を解決するために本発明に関する現金処理装置は、硬貨が収納される硬貨ホッパ部と、前記硬貨ホッパ部から前記硬貨を搬送する硬貨搬送部と、前記硬貨搬送部から搬送された前記硬貨を排出する硬貨発行口と、前記硬貨搬送部から搬送された前記硬貨を回収する硬貨回収部と、前記硬貨ホッパ部から搬送される前記硬貨を前記硬貨発行口と前記硬貨回収部のいずれかの方向に手動により切替可能とする切替手段と、前記硬貨ホッパ部における前記硬貨の一括回収を指示する一括回収ボタンを選択可能に表示する操作表示部と、前記切替手段が前記硬貨回収部の方向に切替えられ、かつ前記操作表示部の前記一括回収ボタンが押下されたときに一括回収動作を制御する制御部を有し、前記切替手段は、前記硬貨ホッパ部から搬送された前記硬貨の前記硬貨発行口と前記硬貨回収部への分岐部に設けたブレードを有し、前記ブレードの先端にレバーを設け、前記ブレードを手動可能としたことを特徴とするものである。
【発明の効果】
【００１０】
上記構成を有する本発明によれば、硬貨回収部を設け、硬貨回収部の方向に搬送することを可能とする切替手段を設けたので、回収作業を短時間で行うことができとともに、操作表示部へ一括回収ボタンを選択可能に表示することとしたので、硬貨ホッパ内の硬貨を回収できる条件を制限することによって、誤って又は不正に回収することなく、安全に硬貨を回収することを可能とする現金処理装置を提供することが可能になる。
【図面の簡単な説明】
【００１１】
【図１】第１の実施の形態に関する現金処理装置の構成図である。
【図２】第１の実施の形態に関する制御系のブロック図である。
【図３】第１の実施の形態に関する搬送路切替機構の概要を示す斜視図である。
【図４】第１の実施の形態に関する搬送路切替機構の動作を示す説明図である。
【図５】第１の実施の形態に関する動作を示すフローチャートである。
【図６】第１の実施の形態に関する操作表示部の表示を示す説明図である。
【図７】第２の実施の形態に関する制御系のブロック図である。
【図８】第２の実施の形態に関する操作表示部の表示例を示す説明図である。
【図９】第２の実施の形態に関する動作を示すフローチャートである。
【図１０】従来の現金処理装置の構成図である。
【発明を実施するための形態】
【００１２】
（第１の実施の形態）
以下、本発明の第１の実施の形態について説明する。図１は第１の実施の形態に関する現金処理装置の構成図である。図１（ａ）は現金処理装置１００の正面図を示し、図１（ｂ）は現金処理装置１００の右側面図を示す。外貨両替機としての現金処理装置１００は、図１（ａ）に示すように、硬貨発行部１及び紙幣発行部１１を有する。硬貨発行部１の正面には、両替の際の釣銭硬貨を発行する硬貨発行口１４を有する。紙幣発行部１１の正面には顧客の操作を受付けるとともに顧客の操作をガイドする操作表示部１９、外国紙幣を受付ける外貨挿入口１２及び両替紙幣としての紙幣を発行する紙幣発行口１３を有する。
【００１３】
更に、硬貨発行部１の内部は、図１（ｂ）に示すように、硬貨２０を金種別に収納する硬貨ホッパ部としての硬貨ホッパ１７、硬貨ホッパ１７から自由落下により硬貨２０を搬送する硬貨搬送部としての硬貨搬送路２及び硬貨搬送路２から搬送された硬貨２０を排出する硬貨発行口１４を有する。硬貨搬送路２は硬貨ホッパ１７から硬貨発行口１４へ向けて傾斜して設けられ、硬貨２０を自由落下させる。更に、硬貨発行口１４は、硬貨搬送路２から搬送された硬貨２０を排出する発行トレイ１４−１と、顧客が発行トレイ１４−１から硬貨２０を取り出すための取出窓１４−２を有する。通常時、顧客は取出窓１４−２から、発行トレイ１４−１に排出された硬貨２０を取り上げることができる。
【００１４】
更に、硬貨搬送路２には、本実施の形態に関する切替手段としての搬送路切替機構９が設けられる。搬送路切替機構９は、後述するブレード５を含んで構成される。搬送路切替機構９は、硬貨搬送路２を自由落下してくる硬貨２０を、硬貨発行口１４及び硬貨回収部としての硬貨回収ボックス１８のいずれかの方向に搬送することを切替える。なお、硬貨発行口１４は、カバー１５と一体に設けられ、硬貨発行部１のカバー１５の矢印Ａ方向の開動作のとき硬貨発行口１４はカバー１５と一体に移動する。
【００１５】
図２は第１の実施の形態に関する制御系のブロック図である。図２は本実施の形態に関する動作に関係する機能のみ示す。操作表示部１９は前述のように現金処理装置１００の紙幣発行部１１の正面に設けられ、通常モードにおいて、顧客の操作を受付けるとともに顧客に対して操作のガイダンスを表示する。更に、操作表示部１９は保守モードにおいて、保守員の操作を受付けるとともに、保守員の操作をガイドする表示を行う。本実施の形態においては、保守員が後述する切替手段としての搬送路切替機構９のブレード５を硬貨回収動作側へ切替えると、操作表示部１９は後述する一括回収ボタン２４を選択可能に表示し、保守員に対し、一括回収ボタン２４の押下を促す。従って、保守者にとってはブレード５を切替え、かつ一括回収ボタン２４を押下しなければ硬貨２０の回収を行うことができず、硬貨２０を回収できる条件が付されたことになる。なお、一括回収ボタン２４は、後述するように硬貨ホッパ１７における硬貨２０の一括回収を指示するボタンである。
【００１６】
スイッチ検出部１６は、保守員が後述する切替手段としての搬送路切替機構９のブレード５を硬貨回収動作側としての回収路３側に切替えたか、通常動作側としての硬貨第２搬送路４側に切替えたかを検出する。通常モード制御部２１は、スイッチ検出部１６が通常動作側としての硬貨第２搬送路４側に切替えたことを検出すると、現金処理装置１００内の図示しない各部を通常モードに制御する。保守モード制御部２２は、スイッチ検出部１６が硬貨回収動作側としての回収路３側に切替えたことを検出すると、現金処理装置１００内の図示しない各部を保守モードに制御する。主制御部１０は各部を制御する。
【００１７】
図３は第１の実施の形態に関する搬送路切替機構の概要を示す斜視図である。搬送路切替機構９は、硬貨ホッパ１７から繰出された硬貨２０を搬送するために設けられた硬貨搬送路２と硬貨発行口１４へ導く硬貨第２搬送路４の間に設けられる。硬貨搬送路２は、硬貨ホッパ１７から繰出された硬貨２０が自由落下するように傾斜して設けられる。搬送路切替機構９は、自由落下してくる硬貨２０を硬貨発行口１４及び硬貨回収ボックス１８のいずれかの方向に切替える。硬貨発行口１４の手前には硬貨第２搬送路４を有し、硬貨回収ボックス１８の手前には回収路３を有する。
【００１８】
搬送路切替機構９は、自由落下してくる硬貨２０を回収路３及び硬貨第２搬送路４への左右に切替えるため、回収路３と硬貨第２搬送路４の中間に切替えのためのブレード５を有する。当該ブレード５の回転軸５−１は回収路３と硬貨第２搬送路４の分岐部に設けられる。ブレード５は垂直に設けられた回転軸５−１を中心に左右揺動可能に支持される。ブレード５の先端には、当該ブレード５を手動にて移動させるためのレバー５−２を当該ブレード５の延長上に有し、保守員はレバー５−２の上下端部５−４を持って手動にてブレード５を移動させる。
【００１９】
ブレード５はレバー５−２の上下端部５−４に設けられた上下のスプリング８によって矢印Ｂ方向に付勢されている。スプリング８の他端８−１は装置本体に固定されている。図３の実線で示すブレード５の位置は硬貨第２搬送路４を塞ぎ、二点鎖線で示す位置は回収路３を塞ぐ。ブレード５のレバー５−２は、ブレード５が硬貨第２搬送路４を塞ぐ位置にあるときは、硬貨第２搬送路４の外側に位置する。そして、ブレード５が回収路３を塞ぐ位置にあるときは、レバー５−２は硬貨２０が自由落下するのに支障のないよう硬貨搬送路２の側面部に位置する。そして、レバー５−２の上下端部５−４は硬貨搬送路２の上下外側に位置する。ブレード５が実線で示す位置にあるとき、レバー５−２を固定するための固定具７が、レバー５−２と一体に設けた金属片５−３を吸引する。固定具７は硬貨第２搬送路の外側に設けられている。固定具７は磁石からなり、スプリング８の付勢力に抗してレバー５−２の金属片５−３を固定する。
【００２０】
保守員はレバー５−２を手動にて、固定具７から金属片５−３を引き離すことが可能である。そうすると、ブレード５は、図３の二点鎖線で示すブレード５の位置にスプリング８の付勢力により、維持される。切替検出スイッチとしてのスイッチ６はブレード５がこの位置にあることを検出するために設けられる。スイッチ６は硬貨搬送路２の外側に設けられ、ブレード５のレバー５−２の上下端部５−４が接近するのを検出する。スイッチ６は、次に説明するようにブレード５が硬貨回収ボックス１８側である回収路３側に切替わったか、硬貨発行口１４側である硬貨第２搬送路４側に切替わったかを検出する。
【００２１】
図４は第１の実施の形態に関する搬送路切替機構の動作を示す説明図である。図４（ａ）は搬送路切替機構９のブレード５を硬貨回収動作側としての回収路３側に切替えた場合、即ちブレード５が硬貨第２搬送路４を塞ぐ場合の上面図を示す。図４（ｂ）は搬送路切替機構９のブレード５を通常動作側としての硬貨第２搬送路４側に切替えた場合、即ちブレード５が回収路３を塞ぐ場合の上面図を示す。
【００２２】
保守モードにおいて、保守員はブレード５のレバー５−２の上下端部５−４を持って図４（ａ）に示す位置に移動させる。固定具７はレバー５−２の金属片５−３を吸引し、スプリング８の付勢力に抗してレバー５−２を固定する。そうすると、回収される硬貨２０は硬貨搬送路２を自由落下した後、矢印Ｃ方向に屈折し、回収路３へ落下する。このときスイッチ６はＯＦＦとなり、保守モードを示すことになる。
【００２３】
通常モードにおいて、保守員はブレード５のレバー５−２の上下端部５−４を持って図４（ｂ）に示す矢印Ｄのように移動させる。そのとき、固定具７はレバー５−２の金属片５−３から離される。ブレード５が図４（ｂ）に示す位置に着くと、スイッチ６がＯＮとなり、通常モードであることを検知する。そうすると、排出される硬貨２０は硬貨搬送路２を自由落下した後、そのまま矢印Ｅ方向へ進み、硬貨第２搬送路４へ移動する。
【００２４】
図５は第１の実施の形態に関する動作を示すフローチャートである。
Ｓ１０１：主制御部１０はスイッチ検出部１６に対し、スイッチ６がＯＮであるか、又はＯＦＦであるか検出するよう指示する。即ち、ブレード５が硬貨発行口１４側である硬貨第２搬送路４側に切替えられたか、又はブレード５が硬貨回収ボックス１８側である回収路３側に切替えられたか検出するよう指示する。スイッチ６がＯＮであればステップ１０２へ移行し、ＯＦＦであればステップ１０６へ移行する。
【００２５】
Ｓ１０２：スイッチ６がＯＮとなったとき、即ちブレード５が硬貨第２搬送路４側に切替えられたとき、主制御部１０は通常モード制御部２１に対し、通常モードを実行するよう指示する。
Ｓ１０３：通常モード制御部２１は操作表示部１９に対し、外貨両替動作が可能であることを顧客に表示するよう指示する。
Ｓ１０４：外貨両替を希望する顧客があるときは、通常モード制御部２１は外貨両替動作を行う。
Ｓ１０５：外貨両替動作が済めば終了する。
【００２６】
Ｓ１０６：ステップ１０１において、スイッチ６がＯＦＦとなったとき、即ちブレード５が回収路３側に切替えられたとき、主制御部１０は保守モード制御部２２に対し、保守モードを実行するよう指示する。
Ｓ１０７：保守モード制御部２２は操作表示部１９に対し、一括回収ボタン２４を選択可能に表示するよう指示する。
図６は第１の実施の形態に関する操作表示部の表示を示す説明図である。操作表示部１９には保守員に対し、「ブレードが切り替えられ保守モードになりました。」との案内文
２３が表示される。同時に一括回収ボタン２４及び戻るボタン２５が表示される。
【００２７】
Ｓ１０８：保守モード制御部２２は操作表示部１９に対し、一括回収ボタン２４が選択されたか監視するよう指示する。
Ｓ１０９：一括回収ボタン２４が押下されたとき、保守モード制御部２２は硬貨ホッパ１７に対し、収納している硬貨２０を硬貨搬送路２へ繰り出すよう指示する。これにより、硬貨ホッパ１７にある硬貨２０は硬貨回収ボックス１８へ回収される。即ち、ステップ１０１においてブレード５が回収路３側に切替えられ、かつステップ１０８において一括回収ボタン２４が押下されたとき、保守モード制御部２２は、一括回収動作を行うことになる。即ち、保守者にとってはブレード５を切替え、かつ一括回収ボタン２４を押下しなければ硬貨２０の回収を行うことができず、硬貨２０を回収できる条件が付されたことになる。
Ｓ１１０：保守モード制御部２２は、全ての硬貨２０が回収されたかどうか監視し、全ての硬貨２０が回収されれば終了する。
【００２８】
以上のように第１の実施の形態によれば、硬貨回収ボックス１８を設け、硬貨回収ボックス１８の方向に搬送することを可能とするブレード５を設けたので、回収作業を短時間で行うことができる。また、操作表示部１９へ一括回収ボタン２４を選択可能に表示することとしたので、保守者はブレード５の切替えと、かつ一括回収ボタン２４の押下を行わなければ硬貨２０の回収を行うことができず、硬貨２０を回収できる条件を付すことになる。従って、誤って又は不正に硬貨２０を回収することなく、安全に硬貨２０を回収することを可能とする。
なお、図６で説明した一括回収ボタン２４は、保守モードを選択する保守モード選択ボタンであっても本発明の適用は可能である。
【００２９】
（第２の実施の形態）
次に、本発明の第２の実施の形態について説明する。第１の実施の形態では、保守員が搬送路切替機構９のブレード５を手動にて回収路３側に切替えたことを検出した後、操作表示部１９へ一括回収ボタン２４を選択可能に表示するものである。第２の実施の形態においては、保守モードにおいて、操作表示部１９へ一括回収ボタン２４を選択可能に表示し、保守員が一括回収ボタン２４を選択すると、後述するブレード駆動部２６がブレード５を回収路３側に切替えるようにするものである。第２の実施の形態に関する現金処理装置１００及び搬送路切替機構９の構成については、第１の実施の形態と同じであるので説明を省略する。
【００３０】
図７は第２の実施の形態に関する制御系のブロック図である。図７は本実施の形態に関する動作に関係する機能のみ示す。操作表示部１９は後述する通常モードボタン２８と保守モードボタン２９を選択可能に表示する。更に、保守モードにおいては、操作表示部１９は一括回収ボタン２４を選択可能に表示する。
【００３１】
通常モード制御部２１は保守員が通常モードボタン２８を押下すると、現金処理装置１００内の図示しない各部を通常モードに制御する。保守モード制御部２２は保守員が保守モードボタン２９を押下すると、現金処理装置１００内の図示しない各部を保守モードに制御する。特に、保守モード制御部２２は、切替手段駆動部としての後述するブレード駆動部２６に対しブレード５を回収路３側に切替えるよう指示を行う。ブレード駆動部２６は、切替手段としての搬送路切替機構９のブレード５の回転軸５−１に接続され、搬送路切替機構９のブレード５を駆動する。なお、主制御部１０は各部を制御する。
【００３２】
図８は第２の実施の形態に関する操作表示部の表示例を示す説明図である。操作表示部１９は保守員に対し、「通常モード又は保守モードを選択してください」と案内文２７を表示する。同時に操作表示部１９は通常モードボタン２８と保守モードボタン２９を選択可能に表示する。これらは保守員によって選択的に押下される。本実施の形態においては、保守員が保守モードボタン２９を選択すると、後述するブレード駆動部２６が切替手段としての搬送路切替機構９のブレード５を硬貨回収動作側へ切替える。なお、３０は戻るボタンである。
【００３３】
図９は第２の実施の形態に関する動作を示すフローチャートである。
Ｓ２０１：主制御部１０は操作表示部１９に対し、「通常モード又は保守モードを選択してください」との案内文２７を表示し、通常モードボタン２８と保守モードボタン２９を表示するよう指示する。そして、主制御部１０は操作表示部１９に対し、通常モードボタン２８が押下されたか、保守モードボタン２９が押下されたか検出するよう指示する。通常モードボタン２８が押下されればステップ２０２へ移行し、保守モードボタン２９が押下されればステップ２０６へ移行する。
【００３４】
Ｓ２０２：通常モードボタン２８が押下されたとき、主制御部１０は通常モード制御部２１に対し、通常モードを実行するよう指示する。
Ｓ２０３：通常モード制御部２１は操作表示部１９に対し、外貨両替動作が可能であることを表示するよう指示する。
Ｓ２０４：外貨両替を希望する顧客があるときは、通常モード制御部２１は外貨両替動作を行う。
Ｓ２０５：外貨両替動作が済めば終了する。
【００３５】
Ｓ２０６：ステップ２０１において、保守モードボタン２８が押下されたとき、主制御部１０は保守モード制御部２２に対し、保守モードを実行するよう指示する。
Ｓ２０７：保守モード制御部２２は操作表示部１９に対し、一括回収ボタン２４を選択可能に表示するよう指示する。操作表示部１９へ表示する内容は第１の実施の形態とほぼ同じであるが、図６に示す案内文２３の替りに「保守モードボタンが選択され保守モードとなりました」となる。同時に一括回収ボタン２４及び戻るボタン２５が表示される。
【００３６】
Ｓ２０８：保守モード制御部２２は操作表示部１９に対し、一括回収ボタン２４が選択されたか監視するよう指示する。
Ｓ２０９：一括回収ボタン２４が選択されると、保守モード制御部２２はブレード駆動部２６に対し、一括回収を行うためにブレード５を回収路３側に切替えるよう、即ちブレード５が硬貨第２搬送路４を塞ぐよう指示する。そして、保守モード制御部２２は硬貨ホッパ１７に対し、収納している硬貨２０を硬貨搬送路２へ繰り出すよう指示する。これにより、硬貨ホッパ１７にある硬貨２０は硬貨回収ボックス１８へ回収される。即ち、ステップ２０８において一括回収ボタン２４が押下され、かつステップ２０９においてブレード５が回収路３側に切替えられたとき、保守モード制御部２２は、一括回収動作を行うことになる。従って、保守者にとってはブレード５が切替えられ、かつ一括回収ボタン２４を押下しなければ硬貨２０の回収を行うことができず、硬貨２０を回収できる条件が付されたことになる。
Ｓ２１０：保守モード制御部２２は、全ての硬貨２０が回収されたかどうか監視し、全ての硬貨２０が回収されれば終了する。
【００３７】
以上、第２の実施の形態によれば、保守モードになった後、操作表示部１９へ一括回収ボタン２４を選択可能に表示する。一括回収ボタン２４が押下されると、ブレード駆動部２６を駆動してブレード５を切替えることとしたので、保守者はブレード５の切替えと、かつ一括回収ボタン２４の押下を行わなければ硬貨２０の回収を行うことができず、硬貨２０を回収できる条件を付すことになる。従って、誤って又は不正に硬貨２０を回収することなく、安全に硬貨２０を回収することを可能とする。
【００３８】
なお、第２の実施の形態のステップ２０７において操作表示部１９に一括回収ボタン２４を表示し、ステップ２０８において、一括回収ボタン２４の押下を監視したが、これに限らない。即ち、一括回収ボタン２４の替りにステップ２０１における保守モードボタン２９の押下の検出によって、ブレード駆動部２６を駆動するようにしても、本発明は適用可能である。
【００３９】
また、第２の実施の形態のステップ２０８において保守員が一括回収ボタン２４を選択すると、ステップ２０９においてブレード５の回収路３側への切替えをブレード駆動部２６が行うことを説明したが、これに限らない。即ち、ブレード５の回収路３側への切替えを保守者の手動にて切替えるようにしても本発明は適用可能である。
【００４０】
また、第１及び第２の実施の形態において、硬貨搬送部としての硬貨搬送路２は、硬貨ホッパ１７から自由落下により硬貨２０を搬送するものであるが、これに限らない。即ち、図示しない搬送ベルトにより硬貨２０を搬送する硬貨搬送路であっても本発明は適用可能である。
【符号の説明】
【００４１】
１      硬貨発行部
２      硬貨搬送路
３      回収路
４      硬貨第２搬送路
５      ブレード
５−２  レバー
６      スイッチ
７      固定具
８      スプリング
９      搬送路切替機構
１６    スイッチ検出部
１８    硬貨回収ボックス
１９    操作表示部
２０    硬貨
２４    一括回収ボタン
１００  現金処理装置
【図１】
0006428085.tif 000002
【図２】
0006428085.tif 000003
【図３】
0006428085.tif 000004
【図４】
0006428085.tif 000005
【図５】
0006428085.tif 000006
【図６】
0006428085.tif 000007
【図７】
0006428085.tif 000008
【図８】
0006428085.tif 000009
【図９】
0006428085.tif 000010
【図１０】
0006428085.tif 000011